Podtech/llm-jp-corpus-v4-ja_patent huggingface dataset:
(57)【要約】【課題】  本考案は、屋内に居ながらにして、新聞や郵便を受け取ることが出来るようにする為のものである。【解決手段】  新聞や郵便物の投入口を建物外壁面に設け、さらに受け箱に家具との合体部を設け、例えば、２の引出収納郵便受け箱は、一見どこにでもあるような洗面台に見えるが、実は、３の引出箱から、新聞や郵便を引き揚げる事が出来る。２本体は、引出箱の縁が低い３ａの上部に、外壁面の新聞郵便投入口と繋がっている受け口４がある。家具は、主に建築時に、作り付けのように固定されているものが望ましい。【選択図】  図２
0003109766.tif 000002
【実用新案登録請求の範囲】
【請求項１】
新聞や郵便物の投入口を建物外壁面に設置し、壁の内側（居住スペース側）にある受け箱を引出の形状とし、さらに一般の収納型引出家具と合体し、収納家具の一部とするところを特徴とする、新聞郵便受け箱。
【考案の詳細な説明】
【技術分野】
【０００１】  本考案は、新聞や郵便物の投入口を建物外壁面に設け、さらに受け箱に家具との合体部分を設けた、住まい用の新聞郵便受け箱に関するものである。
【背景技術】
【０００２】  新聞が届く朝、新聞を自宅野外の受け箱に取りに行く事は面倒で、また、冬場の室温と外気の差により健康被害を起こす人もあった。又、屋内に届くドアポストは、受け箱がなければプライバシー侵害の恐れがあり、郵便物が玄関たたきに散乱して拾う手間も要していた。又、受け箱があるドアポストは武骨なドアとなっていた。
【考案の開示】
【考案が解決しようとする課題】
【０００３】  朝、野外の受け箱に新聞をとりに行く作業は、寝姿からの着替えや靴等を履く等、手間を要し、特に寒い朝や早朝には、誰でも億刧に感じるものである。又、冬場、室内外の気温差で健康を害する人もいる。更に、ドアと投入口の一体型タイプのドアポストでは、収納受け箱のないタイプのものを使用するとプライバシーを侵害される恐れがあり、郵便物が玄関たたきに散乱していることもある。同様のドアポストで収納受け箱のある種類のものを使用の場合は、武骨で、足等をぶっけて怪我をする人もいる。従って、投入口の場所と受箱の形状を改善し、外壁面から屋内へのダイレクトな新聞郵便受けとし、さらに家具の一部とすることにより、前述の欠点を解決し、生活のスリム化の可能性をも持たせようとするものである。
【課題を解決するための手段】
【０００４】  本考案は、新聞や郵便物の投入口を『建物外壁面』に設置し、壁の内側（居住スペース側）にある『引出型受け箱』を、一般の引出型収納家具（靴収納、洗面収納、キッチン収納、居室の作り付けチェスト等）と合体し、完全に室内家具の一部として組み込むことにより、前述の諸問題を解決している。
【考案の効果】
【０００５】  上述のように、本考案の郵便受け箱は、従来品に比較してインテリア性も高く、プライバシーを保護し、収納部に届いた新聞や郵便物を引き揚げる際の手間や、世間体的な気構え、室外との気温差による健康被害等を低減する可能性を有し、盗難防止の点でも安全に新聞や郵便物の一時保管をすることが出来る。
【考案を実施するための最良の形態】
【０００６】  本考案は、新聞や郵便物の投入口を『建物外壁面』に設置し、壁の内側（居住スペース側）にある『引出型受け箱』を一般の引出型収納家具（靴収納、洗面収納、キッチン収納、居室の作り付けチェスト等）と『合体』し、室内家具の一部として組み込む。投入口には振り子式バネで自然的に閉じる蓋を付け、必要に応じて雨天の場合の雨よけの廂を付ける。壁厚部分は下方に向けて緩やかな斜めの形状で郵便物や新聞等通過の為の防水された道筋をつけることにより、新聞、郵便物、家屋（集合住宅を含む）、家具、全てを安全に保護すると思われる。引出部分は、簡易的に（靴収納等の）扉の中に設置されても良い。又、『家具の背面の壁に投入受け口』を設置し家具前面から取出すという形でも、『家具の側面の壁に投入受け口』を設置し、家具前面の側面寄りの部分から取出すという形でも良い。暮らし方や趣向や製造工程によって自由に実施できる。引出に施錠しても良い。
【実施例】
【０００７】  以下、添付図面に従って一実施例を説明する。１は壁で１ａは窓である。２は、一見、どこにでもあるような洗面台に見えるが、実は、家具一体型の郵便受箱である。３の引出箱を構成する縁の高さは、３ａのように片側が低くなっており、洗面台本体が壁面と接する部分の一部に新聞郵便受け口４があいている。この受け口４は外壁面の新聞郵便投入口と繋がっていて（図示せず）、新聞や郵便物を、屋内に居ながらにして、家具一体型の引出収納郵便受け箱から引きあげることが出来る。【０００８】  本考案の一実施例は、上述の如き構成からなる家具であるが、その家具は限定しない。よって、靴収納でも、洗面収納でも、キッチン周辺収納でも、居間の作り付けチェストでも、主に、建築時の固定家具として、安定した状態で設置するのが望ましい。
【図面の簡単な説明】
【０００９】
【図１】本考案の一例である洗面収納を示す斜視図である。
【図２】図１をクローズアップし、引出箱の横側の縁の高さの違いを示した一部透視図である。
【符号の説明】
【００１０】１    壁
２    洗面台に見える引出収納郵便受け箱
３    引出
４    新聞や郵便の受け口
【図１】
0003109766.tif 000003
【図２】
0003109766.tif 000004
(57)【要約】      （修正有）【課題】敷マット使用時に就寝者が寝返り等によって足が敷マットからはみ出たり、足の一部が露出するのを簡単に防ぐことが出来る袋状足入れ付敷きマットを提供する。【解決手段】敷マットの本体部分（１）の縦方向一端部に表側部分（２）を接合部（３）で接合させて足入れ部（４）を設けたこと特徴とする。【選択図】図１
0003109769.tif 000002
【実用新案登録請求の範囲】
【請求項１】
敷マットの本体部分（１）の縦方向一端部に表側部分（２）を接合部（３）で接合させて足入れ部（４）を設けたことを特徴とする袋状足入れ付敷マット。
【考案の詳細な説明】
【技術分野】
【０００１】  本考案は敷マットに関し、詳しくは敷マットの足部分側に袋状の足入れ部を設けて、保温性を著しく向上させた敷マットに関する。
【背景技術】
【０００２】  近時の健康ブームを反映して、各種の健康増進をうたった敷マットが市販されている。（特許文献１参照）
【特許文献１】
【０００３】
【公開番号】
特許公開２００２−１０２０１８
【公開日】
２００２年４月９日
【出願番号】
特許出願２０００−２９４３２２
【出願日】
２０００年９月２７日
【出願人】
株式会社コストジャパン
【発明者】
大和田  武史
【発明の名称】
敷マット
【考案の開示】
【考案が解決しようとする課題】
【０００４】  古来より頭寒足熱と言って、足を暖めることは健康増進に大変重要なことである。しかしながら上記の各種敷マットは、いろいろな健康増進をうたってはいるものの、就寝者が寝返り等により敷マットからはみ出たり、足の一部が露出したりする恐れが多分にあった。そのため冬季などには風邪をひく原因になったり、夏季でも寝冷えになり体調不調になったりしていた。そこで本考案者は、敷マット使用時に就寝者が寝返り等によって足が敷マットからはみ出たり、足の一部が露出するのを簡単に防ぐことが出来る袋状足入れ付敷きマットを提供することを課題とする。
【課題を解決するための手段】
【０００５】  敷マットの本体部分（１）の縦方向一端部に表側部分（２）を接合部（３）で接合させて足入れ部（４）を設ける。
【考案の効果】
【０００６】  本考案の最大の特徴は、従来ありそうでなかった敷マットの足部分側に袋状の足入れ部を設けたことにより、冬季は足入れの中に足を入れて使用することによって、就寝者が寝返り等により敷マットからはみ出たり、足の一部が露出したりすることがなくなり、保温性が増し風邪などを引きにくくなる。夏季には足を足入れに入れずに足入れの上に乗せるだけで使用する。このような使い方をすることによって、同じ敷マットを一年中使用出来ることになり、冬季用夏季用と２種類揃える必要もなく経済的である。又制作費も同一素材で出来ることによりあまり上がることはなく、生産者にとっては作りやすく、消費者にとっては購入しやすい優良商品と言うことが出来る。
【考案を実施するための最良の形態】
【０００７】  以下に本考案の実施例を図に基づいて説明する。図１は本考案の平面図で本体部分（１）の足側になる一端に、一般的には本体部分（１）と同一素材からなる表側部分（２）を縫製もしくは溶着等の方法により接合させて接合部（３）とし、足入れ部（４）を設ける。
本考案は以上の構成よりなりこれを使用する時は、冬季においては図２に示すように足を足入れ部（４）に入れて就寝する。夏季においては足は、足入れ部（４）にいれずに単に上に乗せて就寝する。
【図面の簡単な説明】
【０００８】
【図１】  本考案の平面図
【図２】  本考案の使用の状態を示す斜視図
【符号の説明】
【０００９】（１）      本体部分
（２）      表側部分
（３）      縫製部
（４）      足入れ部
【図１】
0003109769.tif 000003
【図２】
0003109769.tif 000004
(57)【要約】      （修正有）【課題】鳥がもつ生物磁石（鳥の体内磁石）を狂わせ近寄れないようにし、洗濯物やベランダに糞や羽毛が落ちない清潔な住環境を整えることを目的とする。【解決手段】スプリング７の両端に１対の永久磁石１を取り付けた磁石ユニットを合成樹脂製の容器に収納し、容器から延びている柔軟性のある金属紐３を物干竿やベランダ等鳥の害で困っている場所に取り付けることを特徴とする。【選択図】図１
0003109770.tif 000002
【実用新案登録請求の範囲】
【請求項１】
スプリングの両端部分に１対の永久磁石を取り付けた磁石ユニットを合成樹脂製の容器内に収納し、容器から延びている柔軟性のある金属紐の端を物干竿や木の枝、鳥の害で困っている場所に簡単に取りつけることを特徴とする鳥よけ用具。
【考案の詳細な説明】
【技術分野】
【０００１】本考案はスプリングの両端に１対の永久磁石を取り付けた磁石ユニットを合成樹脂製の容器内に収納し、その中から強力な磁力が発生し鳥などが持つ生物磁石（鳥の持つ体内磁石）を狂わせこの鳥よけ用具のある所に鳥などが近寄れなくするものである。
【背景技術】
【０００２】住宅地で家屋やマンションに鳩やその他鳥が飛来して糞等の害により洗濯物が汚れ迷惑している状況であるが、鳥を手で迫ったり網で囲ったり、針金を立てて鳥を止まらないようにする対策だけであった。
【考案の開示】
【考案が解決しようとする課題】
【０００３】人がその場にいる時は、手で追ったりして鳥を近かずけないようにできるが、常にそのような事は無理であった。【０００４】網で囲うことは可能ではあるが、手間と費用がかかり、大変なわりに糞害は防ぐことはできなかった。【０００５】鳥が止まらないように針金を立てて防ぐ事はできるが、その場所によっては人に危害が及ぶ事が考えられ危険であった。
【課題を解決するための手段】
【０００６】本考案はスプリングの両端部分に１対の永久磁石を取り付けた磁石ユニットを合成樹脂製の容器内に収容し、容器から延びている柔軟性のある金属紐の先端を物干竿や木の枝や鳥の害で困っている所に簡単に取り付けることを特徴とする用具を構成しているので、このような課題が解決できる。
【考案の効果】
【０００７】本考案はスプリングの両端に１対の永久磁石を取り付けた磁石ユニットを合成樹脂製の容器内に収容し、その中から強力な磁力が発生し鳥が持つ生物磁石（鳥の持つ体内磁石）を狂わせこの鳥よけ用具が吊るしてある所に鳥などが近寄れなくなり、洗濯物や、ベランダに糞や羽毛が落ちない清潔な住環境を整え、叉鳥が果物をついばむのを防ぐことができる。
【考案を実施するための最良の形態】
【０００８】本考案の実施の形態について図１に基づいて説明する。
（イ）スプリング７の両端部分に１対の永久磁石１を取り付ける。
（ロ）合成樹脂製の二つの中空の半円球体（２ａ  ２ｂ）の容器２内に（イ）を収納する。
（ハ）容器２に柔軟性のある金属紐３を通す。
（ニ）二つの中空の半円球体２ａ２ｂの開口端縁を合致させて、この合致部分を接着剤４で接着して球状の容器２を構成する
【図面の簡単な説明】
【０００９】
【図１】本考案の鳥よけ用具の要部の断面図
【図２】本考案の鳥よけ用具の使用状態を示す斜視図
【図３】本考案の鳥よけ用具の実施例を示す図
【図４】本考案の鳥よけ用具の実施例を示す図
【符号の説明】
【０００１０】１  スプリングの両端に取り付けた永久磁石
２  合成樹脂製の二つの中空の半円球体
３  柔軟性のある金属紐
４  接着剤
５  物干竿
６  果物
７  スプリング
【図１】
0003109770.tif 000003
【図２】
0003109770.tif 000004
【図３】
0003109770.tif 000005
【図４】
0003109770.tif 000006
(57)【要約】      （修正有）【課題】本考案は、カードのような薄い平滑物の出し入れを容易に行なう事のできる、ポケット状の収納具を備えた回覧板を提供する。【解決手段】ポケットの下部に指の入る大きさの切込み３を形成する。このような構成によれば、切込みを利用してカード類の出し入れを行なうことが容易となり、使い勝っての改善を図ることができる。【選択図】図１
0003109768.tif 000002
【実用新案登録請求の範囲】
【請求項１】
回覧板本体に設けた用紙差込用ポケットの端に、カード取替用の切込みを形成したことを特徴とするポケット付き回覧板。
【考案の詳細な説明】
【技術分野】
【０００１】この考案はカードのような薄い平滑物の出し入れを容易に行なう事のできる、ポケット状の収納具を備えた回覧板に関するものである。
【背景技術】
【０００２】従来、回覧順等を示すカードを収納するためのポケットを設けて、カード類を保管、管理して使用しているのが通例である。【０００３】これは次のような欠点があった。一旦差し込んだカード類を取り出す場合には、ポケットの開口を広げてから指を差し入れてカード類をつまみ出す形となる。ポケット部は腰の弱いフィルム状のシートで構成されているため、フィルムの間に指を入れてカード類を取り出すのはそう簡単なことではない。取り出し方が雑であると、フィルムやカード類を破損したり、或いは回覧板本体をも破損するおそれがある。従って、より簡単にかつ容易にカード類を取り出す事ができる収納ポケットの開発が要望されていた。
【考案の開示】
【考案が解決しようとする課題】
【０００４】本考案は、このような点に鑑みなされたもので、フィルム（もしくはシート）状ポケット部からのカード類の取り出しが容易かつ円滑に行なうことが可能な、ポケット付き回覧板を提供する事を目的とする。
【課題を解決するための手段】
【０００５】前記目的を達成するため、本考案は、ポケット２の下部にカード取替用の切込み３を形成する。このような構成によれば、切込み３を利用してカード４の出し入れを行なうことが容易となり、使い勝っての改善を図ることができる。以上の説明において、「下部」の表現は本考案を縦にした状態において述べたものであるから、これを例えば図１等の場合であれば、当然、下部が右ということになる。
【考案の効果】
【０００６】本考案によれば、ポケットの下部に切込みを形成したので、切込みを利用してカード類の薄い平滑物の保管、管理を容易にし、取り出しの際に無理をしてカード類を傷つけたりすることもなく、交換も簡単となる効果がある。また、切込みの幅がポケットの収納幅に略対応するため、切込みの切欠幅は最大で開口部の幅まで設定できるように、設計上の自由度も確保することが可能となる。
【考案を実施するための最良の形態】
【０００７】以下、本考案の一実施の形態について図面を参照して説明する。
【実施例】
【０００８】図２に示すように、ポケット２の下部に指の入る大きさの切込み３が設けられていると、カード４を取り出すことが甚だ容易となる。すなわち指先で切込み３の孔よりカード４を押すようにして矢印方向にこれを滑り出すことによって、楽にカード４を取り出す事ができる。また、カード４の出し入れの際に引っ掛かったり傷つけたりすることもない。また、切込み３の形状を半円弧状に設けたものとしたのは、指を入れた時のおさまりの良さと、矩形状にしたときの角部での孔の破損し易さや、封入物の損傷し易さを考慮したことによる。さらに、図示した実施例ではポケット部の材料として、透明のものを例として示したが、半透明もくは不透明の材料で構成することもできる。
【図面の簡単な説明】
【０００９】
【図１】本考案一例を示す正面図である。
【図２】本考案の機能を示すもので、内容物を入れたときの使用状態を示している。
【符号の説明】
【００１０】１  回覧板本体
２  ポケット
３  切込み
４  カード
【図１】
0003109768.tif 000003
【図２】
0003109768.tif 000004
(57)【要約】【課題】本考案は乳癌手術等を受けた事により、左右の乳房の大きさが違う女性にボディスーツの様に体全体を圧迫するという不快感を感じず、装着時間が長時間に渡ってもブラジャーが胸の位置よりも上にずりあがっていく等の不具合の無いブラジャーを提供するものである。【解決手段】装着時に紐が体との摩擦で丸くなったりせず安定する適度な幅の紐でブラジャーの前身頃のから体の股下をくぐらせ後身頃に到達するのに充分な長さの紐を、ブラジャーの左右いずれかの乳房の大きさが小さい方の前身頃の下から、体の股下をくぐらせながら後身頃の前身頃より１センチメートル、体の中心側にずれた位置に紐を装着する。紐自体は長さが調節できる様に、同じ長さ、同じ幅の二本の紐をホックとスナップボタンを利用して結合させ一方の紐となっている。全体像としてはブラジャーの左右どちらかの胸下より安定させる為の細い紐が前身頃から後身頃にかけて装着されているという構成でブラジャーが作成されている。【選択図】図１
0003109767.tif 000002
【実用新案登録請求の範囲】
【請求項１】
本考案は乳房手術等を受け、乳房の大きさが左右違う女性がブラジャーを着用した際に生じる不具合を解消するための考案で、ブラジャーの左右いずれかの前身頃の胸下から後身頃にかけて装着されている紐を含み、ブラジャーの安定性を保つ機能を有しているもの。
【請求項２】
請求項１に関して、紐とは体に装着しても紐が丸まらない適度な幅とブラジャーの前身頃から体の股下をくぐらせ後身頃に到達するのに充分な長さを有するもの。
【請求項３】
請求項２に関して、紐は前身頃部分と後身頃部分の二本より構成され、接合部分は紐の長さを調節するのに適度な間隔をあけいくつか存在するホックを含む。
【請求項４】
請求項３に関して、紐の接合部分を安定させる為に存在するスナップボタンを含む。
【考案の詳細な説明】
【技術分野】
【０００１】本考案は乳房手術等を受け、乳房の大きさが左右違う女性がブラジャーを着用した際に生じる不具合を解消するための技術に関する。
【背景技術】
【０００２】従来のブラジャーには乳房の大きさの違いを克服する為に、ブラジャーにパッドと呼ばれるポリウレタンフィルムやシリコンゲル等の素材からできている義乳房をブラジャーに内装するというものであった。しかし、義乳房入りのブラジャーを利用しても、特に胸の大きい人は、着用時間の経過と共にパッドも当初の位置より動き不安定になり左右の乳房の大きさに違いが生じる為、ブラジャーが着用時間の経過と共に本来の胸の位置よりもーが上にあがってきてしまうという不具合が生じるという問題があった。左記の問題を解決する為にボディスーツと呼ばれるナイロンや綿等の素材からできている上半身を覆う下着で乳房カップを有する衣料を利用すると体全体が圧迫され活動しにくく、又装用時間の経過と共に着用部である股下に汗等がたまり不快感を生じるという問題があった。
【考案の開示】
【考案が解決しようとする課題】
【０００３】乳癌手術等を受けた事により、左右の乳房の大きさが違う女性にボディスーツの様に体全体を圧迫するという不快感を感じず、装着時間が長時間に渡ってもブラジャーが胸の位置よりも上にずりあがっていく等の不具合の無いブラジャーを提供する。
【課題を解決するための手段】
【０００４】装着時に紐が体との摩擦で丸くなったりせず安定する適度な幅、本考案では約２センチメートルの幅とブラジャーの前身頃から体の股下をくぐらせ後身頃に到達するのに充分な長さで構成された綿でできた紐を、ブラジャーの左右いずれかの乳房の大きさが小さい方の前身頃の下から、体の股下をくぐらせながら後身頃の前身頃より１センチメートル、体の中心側にずれた位置に紐を接着する。紐自体は長さが調節できる様に、同じ長さ、同じ幅の二本の紐を大きさ約１センチメートルのホックと同じく約１センチメートルスナップボタンを利用して結合させ一本の紐となっている。
【考案の効果】
【０００５】本考案を利用する事で上からも下からもブラジャーも押さえる事によりブラジャー自体の安定性が飛躍的に高まり、ブラジャーの着用時間の経過と共に本来の胸の位置よりブラジャーが上にずりあがるという不具合が解消される。また、ボディスーツと違い、下から押さえる紐は幅も２センチメートルと着用時に体全体に圧迫感を感ず紐自体が丸まったりしない安定した幅である。素材も綿を使用している為に汗等を吸収するので着用時に不快感を感じない。
【考案を実施するための最良の形態】
【０００６】まず、本考案の紐部分を分離させる。そして通常のブラジャーと同様にブラジャー本体のホックを留めブラジャーを着用する。次に後身頃から伸びている紐を自身の股下をくぐらせ、前身頃から伸びている紐とホックとスナップボタンを使い適度な長さで結合させる。
【図面の簡単な説明】
【０００７】
【図１】ブラジャーの全体図を示した平面図
【符号の説明】
１  ブラジャーの前身頃
２  ブラジャーの後身頃
３  紐
４  スナップボタン
５  ホック
【図１】
0003109767.tif 000003
(57)【要約】      （修正有）【課題】貯水槽の水を吸水ひもから毛細管現象を遮断することなく確実に培地まで供給し、根の成長によって根が毛細管現象を遮断することを防止し、植物の長期生育においても確実に水の供給が確保できる園芸鉢を提供する。【解決手段】鉢内部側面に不織布を設置し吸水性のひもまたは底部の不織布と接触させることによって、培地と不織布との接触面積が増すので毛細管現象の遮断が少なくなる。また根は下に向かって伸びるので鉢下部の培地と吸水性のひもまたは培地と底部不織布の間で毛細管現象の遮断が発生しやすくなるが、鉢側面での培地と側面不織布の間では水の遮断は起こりくい、よってより確実な植物の長期生育が可能となる。【選択図】図１
0003109715.tif 000002
【実用新案登録請求の範囲】
【請求項１】
鉢低部を貫通した状態で吸水性のひもを取り付け、鉢内部側面に不織布を設置したことを特徴とした底面給水用の園芸鉢。
【請求項２】
鉢内部に培地を配置したことを特徴とした請求項１記載の底面給水用の園芸鉢。
【考案の詳細な説明】
【技術分野】
【０００１】  本考案は、底面給水方式を利用した園芸鉢に関するものである。
【背景技術】
【０００２】  鉢植えの潅水方法として吸水性のひもや布を使ったひも給水方式は従来から広く使われている。ひも吸水方式は鉢の底部に鉢を貫通する状態で吸水性のひもが取り付けられ、吸水性のひもの下端が水に接している状態に配置され、吸水性のひもと不織布及び培地の毛細管現象によって貯水槽の水を吸い上げ鉢内部の培地に水分を供給するものである。
従来のひも給水においては、吸水性のひもが鉢内部の培地に直接接するように配置されていた。または吸水性のひもが鉢底部の不織布に、不織布は鉢内部の培土に接するように配置されていた。【０００３】  従来ひも給水鉢においては、鉢内部の培地を鉢底部の吸水性のひもまたは不織布に接するように配置し、水を吸水ひもから毛細管現象を遮断することなく培地まで供給する必要がある。吸水性のひもと培地、または吸水性のひもと不織布、または不織布と培地との接触が不十分であると吸水ひもからの毛細管現象は遮断され培地に水が供給されないことがあった。【０００４】  栽培初期においては毛細管現象による水の供給がうまく行っていた場合でも、植物の根の成長にともなって根が毛細管現象を遮断することがあった。
【考案の開示】
【考案が解決しようとする課題】
【０００５】  本考案は、それらの欠点を除いて、吸水性のひもと培地の毛細管現象が遮断されにくい園芸鉢を開発しようとするものである。
【課題を解決するための手段】
【０００６】  上記の目的を達成するために、本考案は鉢（１）の底部を貫通する状態で吸水性のひも（５）を取り付ける。鉢内部に側面不織布（３）を設置し吸水性のひもまたは底部不織布（２）と接する位置に配置させる。鉢底部と側面不織布に接するように培地（７）を配置する。吸水性のひもの下端を貯水槽（４）内の水（６）に接するように配置する。
【考案の効果】
【０００７】  鉢側面に不織布を設置することによって培地と不織布との接触面積が増すので毛細管現象の遮断が少なくなる。また根は下に向かって伸びるので鉢下部においては根の量が多くなり、培地と吸水性のひもまたは培地と底部不織布の間で毛細管現象の遮断が発生しやすくなるが、鉢側面では根量は少なく培地と側面不織布の間では水の遮断は起こり難くい、よってより確実な植物の長期生育が可能となる。
【考案を実施するための最良の形態】
【０００８】  本考案は以上のような構成であることから、これを使用するときは以下のようにする。鉢の底部に開けた穴を貫通する状態で吸水性のひもを取り付ける。または吸水性のひもの上に不織布を設置する。鉢内部の側面に不織布を設置し、内部に軟質発砲樹脂製の培土を配置する。吸水性のひもの下部を貯水槽内の水に接するように配置する。水は毛細管現象により吸水性のひもを通り下部不織布と側面不織布へ伝わり、内部の軟質発砲樹脂製の培地に供給される。
【実施例】
【０００９】  側面不織布と軟質発砲樹脂製の培地はピートモス、石、砂、土、陶器、ゼリー状物質、繊維状物質、木、スポンジなどと置き換えても良い。【００１０】  鉢側面に設置した不織布と吸水性のひも、または鉢側面に設置した不織布と吸水性のひもと底部不織布は一体化したものでも良い。
【図面の簡単な説明】
【００１１】
【図１】  本考案の一実施形態を示す断面図である。
【符号の説明】
【００１２】  １鉢
２底部不織布
３側面不織布
４貯水槽
５吸水性のひも
６水
７培地
【図１】
0003109715.tif 000003
【手続補正書】
【提出日】平成16年12月6日(2004.12.6)
【手続補正１】
【補正対象書類名】実用新案登録請求の範囲
【補正対象項目名】全文
【補正方法】変更
【補正の内容】
【実用新案登録請求の範囲】
【請求項１】
鉢皿底部を貫通した状態で吸水性のひもを取り付け、上部に不織布を敷いたことを特徴とした底面給水用の園芸鉢皿。
【請求項２】
鉢皿底部に貯水槽を設置したことを特徴とした請求項１記載の底面給水用の園芸鉢皿。
(57)【要約】【課題】  本考案はカード形状のものを分類して収納する場合において、組み方で格子状に段数や列数を自在に増加削減できるとともに単体の容器にもなる。これによって収納の分類が変化しても自由に整理整頓できる。【解決手段】  本考案は一種類の容器１を基本に複数個の突起２ａ，２ｂと穴３ａ，３ｂ，３ｃ，３ｄ、および凸部４と凹部５を要所に持たせ縦横裏表に自在に連結できるような形状にし、格子状に増加削減が簡単にできるようにした。また、裏表で重ねることで単体の箱としても形成できるようにした。  さらに、容器１に通し穴６を数カ所設け、カード等が入っているかも目やセンサなどで検知できるようにしてある。  この通し穴６を利用して壁や柱８などに針金７などで任意の空間でも容器１を取り付けられる。【選択図】    図１
0003109716.tif 000002
【実用新案登録請求の範囲】
【請求項１】
長方体の容器の左右裏表に共に結合するための突起と穴、および凸と凹を設け、左右上下裏表前後に組み合わせできることを特徴とした容器。
【請求項２】
容器にカードが入っているか確認および柱や壁などに取り付けるための穴を設けたことを特徴とする請求項１記載の容器。
【考案の詳細な説明】
【技術分野】
【０００１】  本考案は、カードなどを区分して見えるように収納する容器に関するものである
【背景技術】
【０００２】  製造などに生産指示する場合に用いる指示書やカード状のかんばんを卓上や箱の中に置いていた。
【考案の開示】
【考案が解決しようとする課題】
【０００３】  指示書などの書類を卓上や箱に保管すると順番や指示の量が見えないため生産に混乱をきたす。そのため、生産の順番と量が一目で分かるようにしたい。さらに、生産が終了したかどうか、また遅れ進みを見て分かるように指示書を並べて置きたいのである。製造現場は余分なスペースがないので、個々の指示書単位で保管するにしても少ないスペースにしたい。さらに目で見やすい空間にでも保管できるようにしたい。
カード形状のものを分類して収納する場合、形としては格子状に開口した容器を作成する必要があり、従来は一体で段数や列数を決めて作成していた。しかし、収納の分類は収納するものによって変化し、経過とともに変化するため、段数や列数に過不足が生じ、整理整頓が乱れる事が頻繁にあった。
【課題を解決するための手段】
【０００４】  本考案は一種類の容器を基本に突起と穴、および凸と凹を要所に持たせ縦横裏表に自在に連結できるような形状にしてあるため、格子状に増加削減が簡単にできるようにした。また、裏表で重ねることで単体の箱としても形成できるようにした。
さらに、容器に開口部を数カ所設け、カード等が入っているかも目やセンサなどで検知できるようにしてある。
この開口部を利用して壁や柱などに容器を取り付けられるようにし、いかなる空間でも設置できる。
【考案の効果】
【０００５】  本考案の連結積み重ね容器は段数や列数を自在に増加削減でき、どこでも空いた場所に設置できるためカードなどの整理整頓が将来に置いても崩れることはない。
【考案を実施するための最良の形態】
【０００６】  正面一端と上部一端が開口して容器状になり、前後左右に対角線状に複数個の突起を設けその突起が入る穴を裏表に設ける。さらに左右にはお互いがかみ合うように凸と凹を設けてある。このため、縦横に連結でき、格子状にすることができる。さらに、お互いを向き合わせて組み合わせることで一端のみ開口した容器になることができる。
また、容器の内側にはネジや針金を通すための複数の穴がある。これにより壁や柱に固定できる。
【実施例】
【０００７】  以下、添付図面にしたがって実施例を説明する。１はプラスチック材などによる容器本体、２ａと２ｂは突起、３ａ、３ｂ、３ｃ、３ｄは突起２ａと２ｂと勘合するための穴。穴３ｃと３ｄは貫通している。４ａと４ｂは凸の形状をしており、反対側の凹５ａと５ｂとかみ合う。【０００８】  ６は複数個あり、ネジや針金７の通し穴である。【０００９】  本考案の一実施例は上述のような構成からなるものであるから、容器本体１を上下左右に勘合して積み重ねることができる。また、裏返しても積み重ねることができ開口部を２倍に大きくすることもできる。容器１を２個ほど抱き合わせで勘合できるため箱状にすることもできる。通し穴６を用いて針金７により柱８や壁に取り付けができる。
【図面の簡単な説明】
【００１０】
【図１】  本考案の斜視図
【図２】  本容器を格子状に組み合わせた斜視図
【図３】  本容器を箱状にした状態で柱に取り付けた斜視図
【符号の説明】
【００１１】  １  容器本体
２  突起
３  穴
４  凸部
５  凹部
６  通し穴
７  針金
８  柱
【図１】
0003109716.tif 000003
【図２】
0003109716.tif 000004
【図３】
0003109716.tif 000005
(57)【要約】      （修正有）【課題】老眼鏡をかけた時に近い手元のものは、はっきり見えるが、そのまま、遠方を見たときに感じる違和感をなくし、又、急激な温度差による曇りで瞬時、先が見えなくなることのない眼鏡を提供する。【解決手段】眼鏡の上方部位をレンズ又は素ガラス等を嵌めない素通し部分２とし、下方部位のみを度の入った老眼用レンズ３とする。又、レンズが外れないようにレンズを設置する眼鏡枠１に、樹脂や金属ビス等で固定するレンズ止め５を設ける。【選択図】図１
0003109720.tif 000002
【実用新案登録請求の範囲】
【請求項１】
レンズ等を設置する眼鏡枠（１）内の眼鏡部の下方部位に老眼用レンズ（３）を嵌めこみ、残余の上方部位はレンズ又は素ガラス等を嵌めない素通し部分（２）としたことを特徴とする老眼用レンズ付き素通し眼鏡。
【請求項２】
老眼用レンズ（３）の移動又は脱落を防ぐレンズ止め（５）を装着した請求項１記載の老眼用レンズ付き素通し眼鏡。
【考案の詳細な説明】
【技術分野】
【０００１】  本考案は、通常の視力を持った人が老眼になった時に、遠近を不自由なく見るための、眼鏡に関する。
【背景技術】
【０００２】  従来から、眼鏡全面が老眼鏡のもの、あるいは下部、上部で度数を変えた遠近両用の眼鏡、又は、眼鏡の上部のみを老眼鏡とし下部は度のない素ガラスとしたもの等、老眼を緩和することが主な目的であった。【０００３】  例えば（実用新案文献１参照）「上老下通めがね」は眼鏡の上部２／３を老眼鏡とし、下部１／３を度のない素ガラスとしたもので、老眼の人が正面の図や文字を見ながら、下方を見れば近くの手作業ができるというものであった。【０００４】
【実用新案文献１】
実開平６−４０９２２号公報
【考案の開示】
【考案の解決しようとする課題】
【０００５】  上記のように、従来の「上老下通めがね」では、その使用目的を満足する使用形態において、極端に眼鏡を下方に擦り下ろしたり、又は、上目遣いの使用を余儀なくされる場合もあるという不都合があった。
【０００６】  従来の眼鏡が持っている欠点は急激な温度差により眼鏡が曇るということであり、又、通常の視力を持った人が老眼になった時は、実開平６−４０９２２号公報考案による眼鏡の上下反対、つまり眼鏡の上部位を素通しとし、下部位に老眼レンズをセットしたものの方が有効である。
【０００７】  本考案は、老眼鏡をかけた時に近い手元のものは、はっきりと見えるが、そのまま、遠方を見たときに感じる違和感をなくし、又、急激な温度差による曇りで瞬時、先が見えなくなる様なことのない眼鏡を提供しようとするものである。
【課題を解決するための手段】
【０００８】  本考案は、レンズ等を設置する眼鏡枠の上方部位をレンズ又は素ガラス等を嵌めない素通し部分とし、下方部位を度の入った老眼用レンズとする。
【０００９】  本考案は、レンズ等を設置する眼鏡枠の下方部位の老眼用レンズが、そこより、外れない様に、眼鏡枠にレンズ止めを設置する。
【考案の効果】
【００１０】  本考案は、老眼の人が眼鏡をかけたままで、目を下に向ければ下方部位の老眼用レンズで近くの物をはっきりと見ることができ、目を正面に向ければ、レンズもガラスもない素通し部で遠方の景色や物を、違和感なく見ることができる。
【００１１】  本考案の眼鏡をかけたままで歩いても、従来の老眼鏡をかけて歩いた時に感じる、遠近バランスに不安定感を感じることがない。
【００１２】  本考案の眼鏡をかけたままで冬の暖房の利いた乗り物や、部屋に入った時、又、温かい食べ物の湯気を浴びた時等でも、レンズ又は素ガラス等を嵌めない素通し部分があるので全体が曇ることがなく安全である。
【考案を実施するための最良の形態】
【００１３】  本考案は、通常の視力を持った人が老眼になった時、遠方の物は素眼で良いが近くの物を見るときは老眼鏡が必要という時に有効であり、レンズがあるべき眼鏡枠内の上方部位をレンズ又は素ガラス等を嵌めない素通し部分とし、下方部位に老眼用レンズを取り付けたことを特徴とする眼鏡である。
【実施例】
【００１４】  本を読んだり、近くの物７を見て作業をする時は、少し下を向くために、レンズ等を設置する眼鏡枠１内の下方部位のみに老眼用レンズ３を取り付ける。【００１５】  老人は良く眼鏡越しに、上目遣いに遠方を見るが、本考案のめがねは、レンズ等を設置する眼鏡枠１内の上方部位がレンズ又は素ガラス等を嵌めない素通し部分２となっているので、そのまま遠方の物６を見ることができる。【００１６】  本考案では、老眼用レンズ３を眼鏡枠１内の下方部位だけに設置するため外れ易いので、レンズ等を設置する眼鏡枠１の内側にレンズ止め５を設ける。なおレンズ止め５は金属でも樹脂でもよい。
【図面の簡単な説明】
【００１７】
【図１】    本考案の本体を示す正面図である。
【図２】    本考案の実施例で、正面より遠方を見た時の側面図である。
【図３】    本考案の実施例で、下を向き近くを見た時の側面図である。
【符号の説明】
【００１８】１    レンズ等を設置する眼鏡枠
２    レンズ又は素ガラス等を嵌めない素通し部分
３    老眼用レンズ
４    眼鏡のつる
５    レンズ止め
６    遠方の物
７    近くの物
【図１】
0003109720.tif 000003
【図２】
0003109720.tif 000004
【図３】
0003109720.tif 000005
(57)【要約】      （修正有）【課題】つめペンキ容器用蓋にはつめを研磨するためのヤスリが設けてあることにより、ヤスリとつめペンキ容器とが一つの製品になり、購入や収納が便利になる。【解決手段】下へ開口する蓋体１０を有し、蓋体１０の内部には一つのブラシ１１が設けてあり、蓋体１０の前後方向には下から上へ徐々に縮小し扁平な握り部１２が形成され、握り部１２の頂部には一つの挿入口１４が形成され、挿入口１４は付属素子１５を挿入できる深さを有することを特徴とするつめペンキ容器用蓋。【選択図】図３
0003109760.tif 000002
【実用新案登録請求の範囲】
【請求項１】
下向きに開口する蓋体（１０）を有し、前記蓋体（１０）の前記開口部内部にはブラシ（１１）が設けてあり、前記蓋体（１０）の前記開口部と反対側には、上向きに徐々に相互の間隔が縮小している一対の扁平面からなる握り部（１２）が形成され、前記握り部（１２）の頂部には一つの挿入口（１４）が形成され、前記挿入口（１４）は付属素子（１５）を挿入できる深さを有することを特徴とするつめペンキ容器用蓋。
【請求項２】
前記挿入口（１４）は矩形を呈し、前記挿入口（１４）の中央が下向きに後退しＶ字形の後退空間（１３）が形成され、前記付属素子（１５）はつめを研磨するための扁平なヤスリであることを特徴とする、請求項１に記載のつめペンキ容器用蓋。
【考案の詳細な説明】
【技術分野】
【０００１】
本考案はつめペンキ容器用蓋に係り、特にストリップ状のヤスリを収容できる挿入空間を有するつめペンキ容器用蓋に関するものである。
【背景技術】
【０００２】
図４に示すのは従来のつめペンキ容器用蓋であり、これは透明なガラス容器を有し、前記ガラス容器内には不透明や半透明なつめペンキが充填してあり、上蓋が前記ガラス容器に螺着し、前記上蓋の内部には一つのブラシが設けてあり、前記ブラシが上蓋の外部に延長し前記ガラス容器内に浸してつめペンキを付けることができ、一般に使用者がつめペンキを塗布する前には、つめを切り揃えてヤスリによりつめの外縁を研磨し、又はつめの周縁にある角質を切り揃える。
【０００３】
従って、つめペンキを塗布する前には、つめ鋏みと、小さな鋏みと、ヤスリとなどの工具が必要なので、全部を揃えることが極めて面倒であり、特に野外でつめペンキを塗布する場合には、全部の工具を揃えることがもっと困難である。
【０００４】
従来の販売方式では、つめペンキとヤスリとが別々に販売されるので、購買が別々に購入することが必要であり、極めて不便である。
【考案の開示】
【考案が解決しようとする課題】
【０００５】
本考案の主な目的は、つめペンキ容器用蓋にはつめを研磨するためのヤスリが設けてあることにより、ヤスリとつめペンキ容器とが一つの製品になり、購入や収納が便利になるつめペンキ容器用蓋を提供する。
【課題を解決するための手段】
【０００６】
上記目的を達成するためになされた本願の考案は、下向きに開口する蓋体（１０）を有し、前記蓋体（１０）の前記開口部内部にはブラシ（１１）が設けてあり、前記蓋体（１０）の前記開口部と反対側には、上向きに徐々に相互の間隔が縮小している一対の扁平面からなる握り部（１２）が形成され、前記握り部（１２）の頂部には一つの挿入口（１４）が形成され、前記挿入口（１４）は付属素子（１５）を挿入できる深さを有することを特徴とするつめペンキ容器用蓋であることを要旨としている。
【０００７】
又、本願の考案では、前記挿入口１４は矩形を呈し、前記挿入口１４の中央が下へ後退しＶ字形の後退空間１３が形成され、前記付属素子１５はつめを研磨するための扁平なヤスリであることを特徴とする上記に記載のつめペンキ容器用蓋であることを要旨としている。
【考案の効果】
【０００８】
本考案に係るつめペンキ容器用蓋によれば、つめペンキ容器用蓋にはつめを研磨するためのヤスリが設けてあることにより、ヤスリとつめペンキ容器とが一つの製品になり、購入や収納が便利になる。
【考案を実施するための最良の形態】
【０００９】
以下、添付図面を参照して本考案の好適な実施の形態を詳細に説明する。
【００１０】
まず、図１乃至図３を参照する。本考案に係るつめペンキ容器用蓋は、下向きに開口する蓋体１０を有し、前記蓋体１０の内部には一つのブラシ１１の基部が取り付けられており、前記ブラシ１１が蓋体１０の外部に延長し、蓋体１０がつめペンキ容器２０に螺着されたときに前記ブラシ１１がつめペンキ容器２０内に浸してつめペンキを付けることができ、前記蓋体１０の前後方向には下から上へ徐々に縮小し扁平な握り部１２が形成され、前記握り部１２の頂部には下へ退却したＶ字形の退却空間１３が形成される。
【００１１】
より具体的には、前記つめペンキ容器用蓋を構成する前記蓋体１０は、長手方向軸３０を有し、前記長手方向軸３０に沿った一方の端部で前記長手方向軸方向に向けて開口部が設けられており、一方、前記蓋体１０に於ける前記一方の端部と反対側の部分から他方の端部に向けて、徐々に相互の間隔が縮小している一対の相互に対向する扁平面３１、３２からなる握り部（１２）が形成されているものである。
【００１２】
なお、前記蓋体１０の上面には矩形の挿入口１４が設けてあり、前記挿入口１４は付属素子１５（例えばヤスリ）を挿入できる深さを有し、前記付属素子１５を挿入した後、前記付属素子１５の上部が前記後退空間１３に露出し、且つ前記付属素子１５の色は蓋体１０と異なってもよく、そうする事によって、目で見て前記付属素子１５を取り出すことが便利になる。
【００１３】
本考案に係る付属素子１５（例えばヤスリ）が蓋体１０内に設置されるので、使用者がつめペンキを塗布しようとするときにはヤスリを別に探すことが必要なく、且つ前記付属素子１５は固定の収納箇所があるので、無くなることも難しくなる。
【００１４】
また、使用者がつめペンキを購入するときには付属素子１５（例えばヤスリ）が一緒に付属されたので、ヤスリを別に購入することが必要なくなり、且つ蓋体１０は付属素子１５を収納する空間が充分にあるので、付属素子１５が空間を別に占めることがなくなり、だから、購入や収納が便利になる。
【図面の簡単な説明】
【００１５】
【図１】図１は、本考案のつめペンキ容器用蓋の一具体的における分解斜視図である。
【図２】図２は、本考案のつめペンキ容器用蓋の一具体的における組合状態を示す斜視図である。
【図３】図３は、本考案のつめペンキ容器用蓋の一具体的における組合状態の断面図である。
【図４】図４は、従来のものの斜視図である。
【符号の説明】
【００１６】
１０      蓋体
１１      ブラシ
１２      握り部
１３      後退空間
１４      挿入口
１５      付属素子
２０      つめペンキ容器
３０      長手方向軸
３１      扁平面
３２      扁平面
【図１】
0003109760.tif 000003
【図２】
0003109760.tif 000004
【図３】
0003109760.tif 000005
【図４】
0003109760.tif 000006
(57)【要約】      （修正有）【課題】簡単でかつペットの身体的負担になりにくい装着方法であると同時に、迷子札を収納し、デザイン性のある動物専用のお守り袋を提供する。【解決手段】ペットの首輪、胴輪等の大小に関わらず、ボールチェーン、紐等から装着方法を幾通りから選択でき、また首輪、胴輪等への直接装着でペットの身体的負担になりにくくし、迷子札の収納による不安解消、また動物専用としての象徴をデザイン的に考慮し、お守り袋にする。【選択図】図６
0003109751.tif 000002
【実用新案登録請求の範囲】
【請求項１】
お守り札を収納する収納部と、この収納部と一体であって、２つ折り形状で首輪等をはさみ込んで首輪等に収納部を取り付ける装着部とを有するお守り。
【請求項２】
お守り札を収納する収納部と、この収納部と一体となり首輪等が挿通される隙間を有し、収納部を首輪等に取り付ける装着部とを備えたお守り。
【請求項３】
上記収納部は、柔軟な素材による本体に形成したポケットである請求項１または２に記載のお守り。
【請求項４】
上記装着部は雄雌一対のホック、または面状ファスナーを含む請求項１または２に記載のお守り。
【請求項５】
上記収納部の外面には、光が反射する反射部が設けられている請求項１または２に記載のお守り。
【請求項６】
上記収納部には、電波発信機やGPS（全地球測位システム）などチップ埋め込み、又カーナビ等にも対応する事により、迷子になっても容易に見つける事ができ、交通事故防止につながり安全に手元に戻すことが出来る請求項１または２に記載のお守り。
【請求項７】
上記収納部には、ノミ排除手段を目的とした機能やアロマ発生効果の機能をつけることにより、不快感を取り除き健康面や衛生面にも気をつけられる請求項１または２に記載のお守り。
【考案の詳細な説明】
【技術分野】
【０００１】
本考案は、首輪、胴輪等に装着して使用するお札、迷子札を収納したお守り袋に関するものである。
【背景技術】
【０００２】
ペットも大切な家族の一員であり、飼い主は人間同様健康長寿、家内安全、交通案全を願うが、従来のお守り袋では手軽に身につけさせるものがない。
【考案の開示】
【考案が解決しようとする課題】
【０００３】
簡単でかつペットの身体的負担になりにくい装着方法であると同時に、迷子札を収納し、デザイン性のある動物専用のお守り袋として一つにまとめ、健康長寿、家内安全、交通案全等飼い主の願いに近づけようとするものである。
【課題を解決するための手段】
【０００４】
この考案は、お守り札を収納する収納部と、この収納部と一体であって、２つ折り形状で首輪等をはさみ込んで首輪等に収納部を取り付ける装着部とを有するお守りである。また、お守り札を収納する収納部と、この収納部と一体となり首輪等が挿通される隙間を有し、収納部を首輪等に取り付ける装着部とを備えたお守りである。上記収納部は、柔軟な素材による本体に形成したポケットである。そして、上記装着部は雄雌一対のホック、または面状ファスナーを含むお守りである。また、上記収納部の外面には、光が反射する反射部が設けられているお守りである。また、上記収納部の外面には、電波発信機やGPS（全地球測位システム）などチップ埋め込みや、又カーナビ等にも対応する事により、迷子になっても容易に見つける事ができ、交通事故防止につながり安全に手元に戻すことが出来るお守りである。更に、上記収納部の外面には、ノミ排除手段を目的とした機能やアロマ発生効果の機能をつけることにより、不快感を取り除き健康面や衛生面にも気をつけられるお守りである。
【考案の効果】
【０００５】
デザイン的に動物専用であることが一目でわかり、お守り袋に飼い主の願いを込められ、迷子札を収納することにより迷子防止にもなる。ペットも快適にそして簡単に装着できる従来のお守り袋では成しえない効果がある。
【考案を実施するための最良の形態】
【０００６】
お守り袋本体内側にお守り札、又は動物の名前、住所、電話番号等を記載した迷子札を収納できる部分を設けていることを特徴とする動物専用のお守り袋である。動物の顔の型や骨の型等を模したデザインのお守り袋本体を正・背面対象にすることによりできる内側に収納部分を設け、お札及び迷子札等を収納する。収納部下部にフック等着脱手段を用いることにより、開閉時の収納物落下防止、装着位置の固定を可能にする。本体を二つ折りすることによってできる隙間に首輪等を挿通し直接の固定をすることにより、ぶら下がったり飛び出したりせず、ペットの邪魔にならず、又取り外しも容易である。又本体内部の折り目部分にボールチェーン、紐等を通し、首輪等に直接又は付属する金具にも装着が可能で、挿通されるベルト等幅の広狭に関わらず装着手段が自在となる。
【実施例】
【０００７】
以下、添付した図１〜図８の図面に従って一実施例を説明する。１はお守り袋の布・樹脂・防水材質等適宜素材を２つ折りにして、動物の顔の型やボーン型やハート型等を模したデザインで形成された本体である。２は本体内側に設けたお守り札及び迷子札を収納する収納部で、収納物を落下防止する。装着位置の固定を可能にするために収納部下部に2つ折りした時の２片を固定するフック等の着脱手段３を用いる。実施例で、５の首輪等を本体内部の隙間４に通し、又はボールチェーン６、紐等により直接又は付属する金具に装着することができる。フックの３Aは雄、３Bは雌で一対になっている。それらを防水材質にすることにより、より長持ちさせることができ、尚且清潔感を保たせることができる。又、首輪以外にも身につけるものであれば衣料などすべてに取りつけ可能である。収納物及び本体は共に交換が可能である。本体は犬以外のすべてのペットに使用できる。
【０００８】
図８はお守り袋の別の実施例である。７はボーン型を模したお守り袋本体である。以下、７の背面を説明する。７の本体背面に首輪等挿通部分４をつける事により、挿通隙間を作り、５の首輪等や、６のボールチェーン等を挿通させて利用する。
【図面の簡単な説明】
【０００９】
【図１】本考案の動物専用お守り袋迷子札入れ付きの本体の正背面図である。
【図２】本お守り袋の本体の平面図（上）である。
【図３】本お守り袋の本体の底面図（下）である。
【図４】本お守り袋の本体の内側展開図である。
【図５】本お守り袋の本体の左右側面図である。
【図６】本お守り袋の本体の実施例を表す正背面図及び左右側面図である。
【図７】本お守り袋の本体の実施例を表す正背面図である。
【図８】本お守り袋の本体の実施例を表す背面図である。
【符号の説明】
【００１０】
１            お守り袋本体
２            収納部
３            フック等着脱手段
４            首輪等挿通部分
５            首輪等
６            ボールチェーン等装着手段
７            お守り袋本体（ボーン型）
【図１】
0003109751.tif 000003
【図２】
0003109751.tif 000004
【図３】
0003109751.tif 000005
【図４】
0003109751.tif 000006
【図５】
0003109751.tif 000007
【図６】
0003109751.tif 000008
【図７】
0003109751.tif 000009
【図８】
0003109751.tif 000010